(57)【要約】【課題】再生装置からの映像が選択されているか否かに応じて電力の供給のオン／オフを制御して省電力を実現し、テレビジョン放送の映像が選択された場合に、より短い時間で映像を表示することができる映像出力システム及び映像出力システムで用いるテレビジョン受像機を提供する。【解決手段】再生装置１からの映像信号に基づいて映像を表示する場合、テレビジョン受像機２の制御部２０は再生装置１から信号入出力部２７を介して再生残り時間を示す残時間情報を受信する。残時間情報が示す再生残り時間が所定時間よりも長いと判断した場合は、使用しないデジタルＴＶ受信部２４、復号部２６、アナログＴＶ受信部２５を含むＴＶ信号受信部３４への電力供給をオフにし、制御部２０は残時間情報が示す再生残り時間が所定時間よりも短いと判断した場合は、ＴＶ信号受信部３４への電力の供給をオンにする。【選択図】図１
2008078934.tif 000002
【特許請求の範囲】
【請求項１】
映像信号を再生出力する再生装置と、電力の供給を受けてテレビジョン放送の映像信号を受信する受信部、前記再生装置から映像信号を入力する入力部、映像信号を出力する出力部、及び前記受信部が受信したテレビジョン放送の映像信号又は前記入力部により前記再生装置から入力された映像信号のいずれの映像信号を前記出力部で出力するかを選択する選択部を備えるテレビジョン受像機とを含む映像出力システムにおいて、
前記再生装置は、再生出力の残り時間を示す残時間情報を送信する手段を備え、
前記テレビジョン受像機は、
前記再生装置から前記残時間情報を受信する手段と、
受信した残時間情報が示す残り時間と所定時間とを比較する手段と、
前記受信部への電力の供給のオン／オフを制御する手段とを備え、
前記入力部が前記再生装置から入力した映像信号を出力する選択を前記選択部がしている場合に、受信した残時間情報が示す残り時間が所定時間よりも長いときは前記受信部へは電力が供給されないようにしてあり、受信した残時間情報が示す残り時間が所定時間よりも短いときは前記受信部へ電力が供給されるようにしてあること
を特徴とする映像出力システム。
【請求項２】
前記所定時間の設定を受け付ける手段を更に備えること
を特徴とする請求項１に記載の映像出力システム。
【請求項３】
前記再生装置及び前記テレビジョン受像機の間は一のケーブルで接続されており、前記再生装置及び前記テレビジョン受像機は前記ケーブルを介して映像信号の入力又は出力、前記残時間情報の送信又は受信をするようにしてあること
を特徴とする請求項１又は２に記載の映像出力システム。
【請求項４】
電力の供給を受けてテレビジョン放送の映像信号を受信する受信部と、外部装置からの映像信号を入力する入力部と、映像信号を出力する出力部と、前記受信部が受信したテレビジョン放送の映像信号又は前記入力部により外部装置から入力された映像信号のいずれの映像信号を出力するかを選択する選択部とを備えるテレビジョン受像機において、
前記外部装置から映像信号の残り時間を示す残時間情報を受信する手段と、
受信した残時間情報が示す残り時間と所定時間とを比較する手段と、
前記受信部への電力の供給のオン／オフを制御する手段とを備え、
前記入力部が前記外部装置から入力した映像信号を出力する選択を前記選択部がしている場合に、受信した残時間情報が示す残り時間が所定時間よりも長いときは前記受信部へは電力が供給されないようにしてあり、受信した残時間情報が示す残り時間が所定時間よりも短いときは前記受信部へ電力が供給されるようにしてあること
を特徴とするテレビジョン受像機。
【請求項５】
前記所定時間の設定を受け付ける手段を更に備えること
を特徴とする請求項４に記載のテレビジョン受像機。
【発明の詳細な説明】
【技術分野】
【０００１】
本発明は、外部装置としての再生装置と、テレビジョン放送の映像信号を受信する受信部を有するテレビジョン受像機とを含む映像出力システム及びそのような映像出力システムに含まれるテレビジョン受像機に関する。より具体的には、テレビジョン受像機が再生装置から入力される映像信号又は受信したテレビジョン放送の映像信号のいずれかを出力する映像出力システム及び映像出力システムに含まれるテレビジョン受像機に関する。
【背景技術】
【０００２】
テレビジョン放送を受信するテレビジョンチューナを含む受信部を有するテレビジョン受像機は、受信したテレビジョン放送の映像を表示するのみならず、外部装置からの映像信号をいわゆる外部入力端子から入力し、入力された映像信号に基づいて映像を表示することができる。テレビジョン受像機が備える外部入力端子へ入力することが可能な映像信号は再生専用装置、録画再生装置、撮像装置、ゲーム機器、ＰＣ（Ｐｅｒｓｏｎａｌ  Ｃｏｍｐｕｔｅｒ）等からの映像信号と多様である。
【０００３】
また、テレビジョン放送は地上アナログ放送、地上デジタル放送、さらに衛星を使用したＢＳ放送、ＣＳ放送等多様であるので、テレビジョン受像機は夫々に対応する複数のチューナを備えることにより夫々の映像信号を受信して映像を表示することができる。
【０００４】
一方、テレビジョン受像機、録画再生装置等の映像関連装置は、映像の高品質化、さらに装置の多機能化に伴って電力消費量が増加している。環境問題に関心が高まるなか、映像関連装置が消費する電力量は社会的にも消費者にとっても無視することができない要素であり、消費電力の削減の度合いが消費者にとって映像関連装置を購入する際の要因となる場合がある。
【０００５】
これに対し、テレビジョン受像機は例えば再生専用装置、録画再生装置等の外部装置から入力された映像信号を出力している間も受信部のチューナ等に電力を供給しており、受信部はテレビジョン放送の受信及び映像信号の出力を行っている。この場合、使用されてないチューナへ電力が供給されることになり、無駄に電力が消費される。
【０００６】
そこで、外部装置からの映像信号を入力して表示するモード、地上波放送を受信するＶＨＦ／ＵＨＦチューナからの映像を表示するモード、衛星放送を受信するＢＳチューナからの映像を表示するモードのいずれかを操作部を介して選択することができ、使用しないチューナへの電力供給のオン／オフを選択されたモードに応じて制御することにより、消費電力を削減するようにしたテレビジョン受像機が特許文献１に開示されている。
【特許文献１】実開平４−２０７７８号公報
【発明の開示】
【発明が解決しようとする課題】
【０００７】
特許文献１に開示されている技術はあくまでユーザによる操作に直接的に応じて動作する構成であり、外部装置からの映像信号を入力して表示するモードから、チューナからの映像を表示するモードへのモード変更に際し、チューナへの電力供給をモード変更に先立ち開始する手段を有していないため、チューナから映像信号を出力することができるようになるまでに一定の時間を要してしまうという問題点を有していた。
【０００８】
本発明は斯かる事情に鑑みてなされたものであり、外部装置からの情報に基づいて自動的に省電力を実現し、外部装置からの映像信号の再生出力が終了した時点で、テレビジョン放送の映像の表示が開始されるまでの時間の短縮を図ることができる映像出力システム及び該映像出力システムに含まれるテレビジョン受像機を提供することを目的とする。
【０００９】
本発明の他の目的は、ユーザが省電力の程度を調整することができる映像出力システム及び該映像出力システムに含まれるテレビジョン受像機を提供することにある。
【００１０】
本発明の他の目的は、装置間の接続を簡易にして自動的に省電力を実現することができる映像出力システムを提供することにある。
【課題を解決するための手段】
【００１１】
本発明に係る映像出力システムは、映像信号を再生出力する再生装置と、電力の供給を受けてテレビジョン放送の映像信号を受信する受信部、前記再生装置から映像信号を入力する入力部、映像信号を出力する出力部、及び前記受信部が受信したテレビジョン放送の映像信号又は前記入力部により前記再生装置から入力された映像信号のいずれの映像信号を前記出力部で出力するかを選択する選択部を備えるテレビジョン受像機とを含む映像出力システムにおいて、前記再生装置は、再生出力の残り時間を示す残時間情報を送信する手段を備え、前記テレビジョン受像機は、前記再生装置から前記残時間情報を受信する手段と、受信した残時間情報が示す残り時間と所定時間とを比較する手段と、前記受信部への電力の供給のオン／オフを制御する手段とを備え、前記入力部が前記再生装置から入力した映像信号を出力する選択を前記選択部がしている場合に、受信した残時間情報が示す残り時間が所定時間よりも長いときは前記受信部へは電力が供給されないようにしてあり、受信した残時間情報が示す残り時間が所定時間よりも短いときは前記受信部へ電力が供給されるようにしてあることを特徴とする。
【００１２】
本発明に係る映像出力システムは、前記所定時間の設定を受け付ける手段を更に備えることを特徴とする。
【００１３】
本発明に係る映像出力システムは、前記再生装置及び前記テレビジョン受像機の間は一のケーブルで接続されており、前記再生装置及び前記テレビジョン受像機は前記ケーブルを介して映像信号の入力又は出力、前記残時間情報の送信又は受信をするようにしてあることを特徴とする。
【００１４】
本発明に係るテレビジョン受像機は、電力の供給を受けてテレビジョン放送の映像信号を受信する受信部と、外部装置からの映像信号を入力する入力部と、映像信号を出力する出力部と、前記受信部が受信したテレビジョン放送の映像信号又は前記入力部により外部装置から入力された映像信号のいずれの映像信号を出力するかを選択する選択部とを備えるテレビジョン受像機において、前記外部装置から映像信号の残り時間を示す残時間情報を受信する手段と、受信した残時間情報が示す残り時間と所定時間とを比較する手段と、前記受信部への電力の供給のオン／オフを制御する手段とを備え、前記入力部が前記外部装置から入力した映像信号を出力する選択を前記選択部がしている場合に、受信した残時間情報が示す残り時間が所定時間よりも長いときは前記受信部へは電力が供給されないようにしてあり、受信した残時間情報が示す残り時間が所定時間よりも短いときは前記受信部へ電力が供給されるようにしてあることを特徴とする。
【００１５】
本発明に係るテレビジョン受像機は、前記所定時間の設定を受け付ける手段を更に備えることを特徴とする。
【００１６】
本発明にあっては、再生装置は映像信号を再生する残り時間を示す残時間情報をテレビジョン受像機へ送信する。テレビジョン受像機は、再生装置から送信された残時間情報を受信し、再生装置からの映像信号を受信して出力する選択をしている場合、残時間情報で示される残り時間と所定時間とを比較する。残時間情報で示される時間が所定時間よりも長い場合はテレビジョン放送の映像信号を出力しないので、テレビジョン受像機はテレビジョン放送の映像信号を受信する受信部への電力の供給をオフにする。一方、残時間情報で示される残り時間が所定時間よりも短い場合は、テレビジョン受像機はテレビジョン放送の映像信号を出力するために受信部への電力の供給をオンにする。
【００１７】
本発明にあっては、残時間情報と比較するための所定時間の設定を受け付ける。
【００１８】
本発明にあっては、再生装置とテレビジョン受像機とは一本のケーブルで接続され、そのケーブルを介して映像信号の入出力、残時間情報の送受信がされる。
【発明の効果】
【００１９】
本発明による場合は、テレビジョン受像機は再生装置からの映像信号を出力している間、再生装置からの映像信号の再生出力が終了するまでの残時間情報に基づいて受信部への電力の供給のオン／オフを制御し、自動的に省電力を実現することができる。再生装置からの映像信号の再生出力が終了するまでの残り時間が所定時間よりも長い場合は、受信部への電力を供給しないようにして電力の消費を削減することができる。また、再生装置からの映像信号の再生出力が終了する所定時間前にはテレビジョン放送の受信部へ電力が供給されるようにすることにより、再生装置からの映像信号の再生出力が終了した時点で、テレビジョン放送の映像の表示が開始されるまでの時間の短縮を図ることができる。
【００２０】
本発明による場合は、テレビジョン受像機が残時間情報と比較する所定時間をユーザが設定することができる。所定時間を調整することで受信部への電力の供給がオフである時間の調整がされるので、ユーザは省電力の程度を調整することができる。
【００２１】
本発明による場合は、再生装置とテレビジョン受像機との間は一本のケーブルによって接続され、映像信号の入出力の他、電力の供給のオン／オフを自動的に制御するために用いられる残時間情報もそのケーブルで送受信が可能である。したがって、装置間の接続を簡易にして自動的に省電力を実現することができる。
【発明を実施するための最良の形態】
【００２２】
以下本発明をその実施の形態を示す図面に基づき具体的に説明する。
【００２３】
本実施の形態では、本発明の映像出力システムを構成するテレビジョン受像機は液晶パネルを備えており、地上デジタルテレビジョン放送及び地上アナログテレビジョン放送を受信して映像を表示する。同様に、本発明の映像出力システムを構成する再生装置としては記録された映像を再生出力するＤＶＤプレーヤを例に説明する。
【００２４】
図１は、本実施の形態における映像出力システムの構成を示すブロック図である。図１に示すブロック図では、各構成部の間で送受信される映像信号及び音声信号を白矢印、制御信号を実線の矢印、供給される電力を破線の矢印で表している。
【００２５】
映像出力システムは、記録された映像を再生出力する再生装置１と映像を表示するテレビジョン受像機２とを備える。再生装置１とテレビジョン受像機２はケーブル３で接続されており、再生装置１から再生出力された映像信号はケーブル３を介してテレビジョン受像機２へ入力される。テレビジョン受像機２は入力された映像信号に基づいて映像を表示する。
【００２６】
再生装置１は、以下説明する各構成部の動作を制御する制御部１０と、各構成部へ電力を供給する電源回路１１と、映像が記録された記録媒体から映像データ及び音声データを読み出す読出部１２と、映像データ及び音声データを映像信号及び音声信号に復号する復号部１３と、いわゆる外部入力端子である信号入出力部１４とを備える。
【００２７】
制御部１０は読出部１２、復号部１３、信号入出力部１４に接続されており、夫々に制御信号を入力することによって各構成部の動作を制御する。また、制御部１０は、必要に応じて、制御信号を信号入出力部１４により再生装置１の外部にケーブル３を介して出力する。
【００２８】
電源回路１１は、商用電源４０に接続されており、制御部１０、読出部１２、復号部１３、信号入出力部１４へ電力を供給する。
【００２９】
読出部１２はＤＶＤに記録されている映像及び音声のデータを読み出す。ＤＶＤに記録されている映像及び音声はＭＰＥＧ（Ｍｏｖｉｎｇ  Ｐｉｃｔｕｒｅ  Ｅｘｐｅｒｔｓ  Ｇｒｏｕｐ）−２規格に基づいて圧縮符号化されたデータである。読出部１２が読み出したデータは復号部１３に入力される。復号部１３は、ＭＰＥＧ−２規格に基づいてＤＶＤから読出部１２が読み出して復号部１３に入力されたデータを復号し、復号した映像信号及び音声信号を信号入出力部１４へ出力する。信号入出力部１４は復号部１３から入力された映像信号及び音声信号をテレビジョン受像機２へケーブル３を介して出力する。
【００３０】
また、制御部１０は、ＤＶＤから再生出力する映像の全体時間、読み出している映像の全体時間に対する再生時間を読出部１２により取得することができる。例えばＤＶＤに記録されているＭＰＥＧ−２規格に準じた映像及び音声のデータには一定単位（０．５秒未満）毎に再生時間を示すタイムスタンプが付加されており、そのタイムスタンプを読み出すことで映像の先頭からの再生時間を算出することが可能である。制御部１０は、読出部１２によりＤＶＤから読み出している映像データの映像の全体時間から全体時間に対する再生時間を減算することで再生残り時間を算出する。さらに制御部１０は、算出した再生残り時間を示す残時間情報を信号入出力部１４によりケーブル３を介して送信する。
【００３１】
テレビジョン受像機２は、以下説明する各構成部の動作を制御する制御部２０と、各構成部へ電力を供給する電源回路２１と、ユーザの操作を受け付けるリモコン（リモートコントローラ）２２と、リモコン２２からの信号を受信するリモコン受信部２３と、地上デジタルテレビジョン放送を受信するデジタルＴＶ受信部２４と、地上アナログテレビジョン放送を受信するアナログＴＶ受信部２５と、地上デジタルテレビジョン放送の映像及び音声を復号する復号部２６と、いわゆる外部入力端子である信号入出力部２７と、入力された映像及び音声の信号のいずれかを選択して出力するセレクタ部２８と、入力された映像信号を出力する映像出力部２９と、入力された音声信号を出力する音声出力部３０と、映像を表示する表示パネル３１と、音声を出力するスピーカ３２とを備える。
【００３２】
制御部２０は、リモコン受信部２３、デジタルＴＶ受信部２４、アナログＴＶ受信部２５、復号部２６、信号入出力部２７、セレクタ部２８、映像出力部２９、音声出力部３０に接続されており、制御信号を入出力することによって各構成部の動作を制御する。
【００３３】
電源回路２１は、商用電源４０に接続されており、テレビジョン受像機２の各構成部に電力を供給する。制御部２０は制御信号を電源回路２１へ入力することにより、電源回路２１からの各構成部への電力供給のオン／オフを制御する。各構成部はブロック化されており、制御部２０は電源回路２１を介した商用電源４０からの電力供給のオン／オフをブロック毎に制御する。制御部２０及びリモコン受信部２３はコントローラ部３３として、デジタルＴＶ受信部２４、復号部２６、及びアナログＴＶ受信部２５はＴＶ信号受信部３４として、信号入出力部２７、セレクタ部２８、映像出力部２９、音声出力部３０、表示パネル３１、及びスピーカ３２は出力部３５として夫々ブロック化されている。なお、ＴＶ信号受信部３４、及び出力部３５への電力供給がオフである、即ちテレビジョン受像機２が電源オフの状態である間であっても、コントローラ部３３へは電源回路２１から最低限の電力が供給される。
【００３４】
リモコン２２は電源ボタン、入力切換ボタン、チャンネル変更ボタン、数字ボタン、番組表ボタン等の各種ボタンを有し、赤外線通信によって各種ボタンが押下されたことを示す信号を送信する。リモコン２２が赤外線通信によって送信した信号はリモコン受信部２３が受信して制御部２０へ入力する。制御部２０はリモコン受信部２３を介してリモコン２２からの信号を検知することによりユーザによる操作を受け付ける。例えば、リモコン２２のチャンネル変更ボタンが押下された場合、リモコン２２はチャンネル変更ボタンが押下されたことを示す信号を送信する。リモコン受信部２３はチャンネル変更ボタンが押下されたことを示す信号を受信して制御部２０へ通知する。制御部２０は、チャンネル変更ボタンが押下されたことを示す信号をリモコン受信部２３の通知により検知し、図示しない記憶部に記憶しているチャンネルの設定を変更する。
【００３５】
デジタルＴＶ受信部２４は復調器の機能を有し、チャンネルの設定に対応する地上デジタルテレビジョン放送の信号を受信する。地上デジタルテレビジョン放送の信号は、ＭＰＥＧ−２規格に基づいて映像信号、音声信号、その他番組情報等の信号を夫々圧縮符号化し、さらに夫々を多重化したデータを表している。デジタルＴＶ受信部２４は、チャンネルの設定に対応する地上デジタルテレビジョン放送の信号から映像及び音声を含むデータを抽出して復号部２６へ出力する。
【００３６】
復号部２６は、デジタルＴＶ受信部２４から入力されたデータを、ＭＰＥＧ−２規格に基づいた夫々の識別情報を判別することにより映像データ、音声データ、番組表データ等に分離する。復号部２６は、分離して得られた映像データ及び音声データを映像信号及び音声信号に復号し、夫々に付加されている時間情報に基づいて映像信号と音声信号とを時間的に同期させてセレクタ部２８へ出力する。また、復号部２６は、分離して得られた番組表データを復号して番組表の内容を示す情報を取得し、制御部２０へ送信する。
【００３７】
アナログＴＶ受信部２５は復調器の機能を有し、チャンネルの設定に対応する地上アナログテレビジョン放送の映像信号及び音声信号を受信する。アナログＴＶ受信部２５は受信した映像信号及び音声信号をセレクタ部２８へ出力する。
【００３８】
信号入出力部２７は、再生装置１からケーブル３を介して入力された映像信号及び音声信号をセレクタ部２８へ出力する。また、信号入出力部２７は、再生装置１からケーブル３を介して入力された制御信号を制御部２０へ出力し、再生装置１から送信された残時間情報を受信して制御部２０へ送信する。
【００３９】
セレクタ部２８は、再生装置１からケーブル３を介して入力された映像信号及び音声信号を出力するか、デジタルＴＶ受信部２４が受信したデジタルテレビジョン放送の映像信号及び音声信号を出力するか、アナログＴＶ受信部２５が受信したアナログテレビジョン放送の映像信号及び音声信号を出力するかを制御部２０からの制御信号により選択する。
【００４０】
制御部２０からの制御信号は、リモコン２２が有する入力切換ボタンが押下される都度、リモコン受信部２３からの通知によりこれを検知した制御部２０によってセレクタ部２８に入力される。リモコン２２が有する入力切換ボタンは、再生装置１からの映像信号及び音声信号、デジタルＴＶ受信部２４により受信した映像信号及び音声信号、アナログＴＶ受信部２５により受信した映像信号及び音声信号のいずれに基づいて映像を表示及び音声を出力するかを選択するボタンである。セレクタ部２８は入力切換ボタンが押されたことを示す制御信号が制御部２０から入力される都度、再生装置１からの映像信号及び音声信号を出力するか、デジタルＴＶ受信部２４が受信したテレビジョン放送の映像信号及び音声信号を出力するか、アナログＴＶ受信部２５が受信したテレビジョン放送の映像信号及び音声信号を出力するかを選択する。
【００４１】
映像出力部２９は、セレクタ部２８から入力された映像信号を表示パネル３１で映像表示できるように表示パネル３１用の信号に変換して表示パネル３１へ出力する。映像出力部２９は入力された映像信号に対する合成処理、エフェクト処理等を行なう機能を有している。音声出力部３０は、セレクタ部２８から入力された音声信号をスピーカ３２へ出力する。音声出力部３０は入力された音声信号に対する増幅処理、エフェクト処理を行なう機能を有している。
【００４２】
なお、テレビジョン受像機２は、制御部２０の制御により予約に基づいて映像を表示する視聴予約が可能である。まず、制御部２０による地上デジタルテレビジョン放送の番組表データに基づく視聴予約の処理について説明する。リモコン２２は番組表ボタンが押下されたことを検知した場合、これを示す信号を送信する。制御部２０は、リモコン受信部２３の通知によりリモコン２２の番組表ボタンが押下されたことを検知した場合、番組表の内容を示す情報に基づいて番組表を表示するための映像信号を生成してセレクタ部２８へ出力するように制御信号を復号部２６に入力する。なお、番組表を表示するための映像信号は、復号部２６により復号した映像信号に重ねられてセレクタ部２８へ出力される。したがって、デジタルＴＶ受信部２４を介して受信した映像信号及び音声信号に基づく映像を表示及び音声を出力する選択がされている場合に、表示パネル３１に番組表が表示される。
【００４３】
制御部２０は、図示しない記憶部を内蔵しており、復号部２６が復号した番組表の内容を示す情報を受信して記憶する。制御部２０は、表示パネル３１が番組表を表示している場合にリモコン２２及びリモコン受信部２３を介して一の番組の選択を受け付け、視聴予約情報として記憶する。視聴予約情報は選択された一の番組のチャンネル及び開始・終了時刻を番組表の情報に基づいて取得することにより、予約チャンネル及び予約時刻として記憶する情報である。制御部２０は図示しない計時部を内蔵しており、視聴予約情報の予約時刻に到達したか否かを判断し、予約時刻に到達した場合に予約チャンネルに対応する映像信号及び音声信号に基づく映像を表示及び音声を出力するためにデジタルＴＶ受信部２４及びセレクタ部２８へ制御信号を出力する。
【００４４】
制御部２０は、地上アナログテレビジョン放送に対しても視聴予約の処理が可能である。制御部２０は、リモコン２２及びリモコン受信部２３を介して視聴予約のチャンネルの設定及び開始・終了時刻の設定を受け付け、受け付けたチャンネル及び開始・終了時刻を視聴予約情報として記憶する。また、制御部２０は、リモコン２２及びリモコン受信部２３を介してＧコード（登録商標）の設定を受け付け、受け付けたＧコードに対応する番組のチャンネル及び開始・終了時刻を視聴予約情報として記憶するのでもよい。
【００４５】
ケーブル３は、再生装置１とテレビジョン受像機２との間を接続するＨＤＭＩ（登録商標）（High-Definition Multimedia Interface）ケーブルである。上述の再生装置１の信号入出力部１４及びテレビジョン受像機２の信号入出力部２７はＨＤＭＩを有している。
【００４６】
ＨＤＭＩは、映像信号、音声信号、及び時間情報を示す信号を一本のケーブルで送信できると共に民生機器同士の制御信号の送受信をすることが可能なインタフェースである。ＨＤＭＩは複数のチャンネルを有しており、映像信号及び音声信号はＴＭＤＳ（Transition Minimized Differential Signaling）チャンネルを使用して送信される。また、映像の時間情報はＴＭＤＳのクロックチャンネルを使用して送信される。ＴＭＤＳチャンネルで送受信される映像信号はＲＧＢ信号、ＹＣｂＣｒ信号（輝度色差信号）等である。
【００４７】
また、ＨＤＭＩのＤＤＣ（Display Data Channel）によってテレビジョン受像機２が備える表示パネル３１の解像度等の情報を送受信することが可能である。再生装置１の制御部１０は信号入出力部２７のＨＤＭＩのＤＤＣを介してテレビジョン受像機２の制御部２０が内蔵する記憶部に記憶されたＥＤＩＤ（Extended Display Identification Data）を読み出す。再生装置１の制御部１０は読み出したＥＤＩＤからテレビジョン受像機２が備える表示パネル３１の解像度の情報を特定し、解像度に適した映像信号を出力する。
【００４８】
さらに、ＨＤＭＩのＣＥＣ（Consumer Electronics Control）ラインを使用してテレビジョン受像機２と再生装置１との間で制御信号を相互に送受信することが可能である。例えば、テレビジョン受像機２及び再生装置１が電源オンの状態である場合にテレビジョン受像機２が備えるリモコン２２が有する電源ボタンをユーザが押下したとき、テレビジョン受像機２の制御部２０は電源ボタンの押下をリモコン受信部２３を介して検知することにより、テレビジョン受像機２のコントローラ部３３への最低限の電力の供給のみを行ない、ＴＶ信号受信部３４、及び出力部３５への電力供給をオフにする。
【００４９】
さらにテレビジョン受像機２の制御部２０は信号入出力部２７のＨＤＭＩのＣＥＣラインを介して再生装置１全体への電力の供給をオフ、即ち電源をオフにする制御信号を再生装置１へ送信する。再生装置１の制御部１０は信号入出力部１４を構成するＨＤＭＩのＣＥＣラインを介して制御信号を受信し、再生装置１全体の電源をオフにする。これにより、ユーザはリモコン２２での一度の操作によって再生装置１及びテレビジョン受像機２の電源をオン／オフする等の操作をすることが可能である。
【００５０】
本発明に係る映像出力システムでは、制御信号の送受信を可能にするＨＤＭＩのＣＥＣラインを使用して、再生装置１からテレビジョン受像機２へ再生残り時間を示す残時間情報を送信する。
【００５１】
図２は、本発明の映像出力システムの再生装置１の制御部１０が再生残り時間を算出して残時間情報を送信する処理手順を示すフローチャートである。
【００５２】
制御部１０は、読出部１２を介してＤＶＤから読み出している映像の全体時間を取得する（ステップＳ１１）。制御部１０はさらに、読み出している映像の全体時間に対する再生時間を取得する（ステップＳ１２）。
【００５３】
制御部１０はステップＳ１１で取得した全体時間からステップＳ１２で取得した再生時間を減算して再生残り時間を算出する（ステップＳ１３）。制御部１０はステップＳ１３で算出した再生残り時間を示す残時間情報を信号入出力部１４を介してテレビジョン受像機２へ送信し（ステップＳ１４）、処理を終了する。
【００５４】
再生装置１の制御部１０は上述の処理手順を例えば１秒の所定の時間毎に繰り返す。このようにして再生装置１の制御部１０は読出部１２を介してＤＶＤから読み出した再生出力中の映像の全体時間と再生時間とから再生残り時間を算出する。再生装置１の制御部１０が算出した再生残り時間を示す残時間情報を信号入出力部１４を介して送信することにより、テレビジョン受像機２が残時間情報を受信して再生残り時間を認識することができる。
【００５５】
なお、ＣＥＣラインを介して送信される残時間情報は、例えばＨＤＭＩの規定に基づいて情報の内容を識別する信号に具体的な情報の値を示す信号が続く構成からなる。再生装置１及びテレビジョン受像機２が残時間情報を示す識別信号を識別できるように設定しておき、その識別信号に続く信号で示された情報は再生残り時間を示すことを再生装置１及びテレビジョン受像機２の制御部２０が認識することができる。
【００５６】
ところで、本発明に係る映像出力システムのテレビジョン受像機２の制御部２０は、再生装置１から受信した残時間情報に基づいて再生装置１からの映像信号に基づく映像を表示パネル３１で表示する間、使用していないデジタルＴＶ受信部２４、復号部２６、アナログＴＶ受信部２５を含むＴＶ信号受信部３４への電力の供給をオフにする。また、制御部２０は信号入出力部２７のＨＤＭＩのＣＥＣラインを介して受信した残時間情報に基づいて、再生装置１がＤＶＤから読み出した映像の再生を終了する前にＴＶ信号受信部３４への電力の供給をオンにする。
【００５７】
再生装置１が記録媒体から読み出した映像の再生を終了した後にＴＶ信号受信部３４へ電力の供給をオンにするのではなく、再生を終了する前にテレビジョン受像機２の制御部２０がＴＶ信号受信部３４への電力の供給をオンにするのは、ＴＶ信号受信部３４に含まれるデジタルＴＶ受信部２４及びアナログＴＶ受信部２５が電源回路２１からの電力の供給を受け始めてからテレビジョン放送に基づく映像信号をセレクタ部２８に出力して表示パネル３１が映像を表示するまでに時間を要するからである。
【００５８】
図３及び図４は、本発明に係る映像出力システムのテレビジョン受像機２の制御部２０がコントローラ部３３、ＴＶ信号受信部３４、及び出力部３５への電力の供給のオン／オフを制御する処理手順を示すフローチャートである。
【００５９】
制御部２０は、リモコン受信部２３を介してリモコン２２の電源ボタンが押下されたことを検知したか否かを判断する（ステップＳ２０１）。なお、このとき、テレビジョン受像機２は、ＴＶ信号受信部３４及び出力部３５へは電源回路２１から電力が供給されておらず、コントローラ部３３へは電源回路２１から最低限の電力が供給されている電源オフの状態である。
【００６０】
制御部２０は、リモコン２２の電源ボタンの押下を検知していないと判断した場合（Ｓ２０１：ＮＯ）、処理をステップＳ２０１へ戻してリモコン２２の電源ボタンが押下されたことを検知したと判断するまで待機する。制御部２０は、リモコン２２の電源ボタンの押下を検知したと判断した場合（Ｓ２０１：ＹＥＳ）、コントローラ部３３、ＴＶ信号受信部３４、及び出力部３５へ電源回路２１を介して電力の供給をオンにする（ステップＳ２０２）。これ以降、テレビジョン受像機２は電源オンの状態になる。
【００６１】
次に、制御部２０は再生装置１からの映像信号及び音声信号に基づいて映像を表示及び音声を出力する選択がされているか否かを判断する（ステップＳ２０３）。制御部２０は、再生装置１からの映像信号及び音声信号に基づいて映像を表示及び音声を出力する選択がされていると判断した場合は（Ｓ２０３：ＹＥＳ）、信号入出力部２７を介して再生装置１で再生している映像の再生残り時間を示す残時間情報を受信し（ステップＳ２０４）、受信した残時間情報が示す再生残り時間が例えば１分等の所定時間よりも長いか否かを判断する（ステップＳ２０５）。
【００６２】
制御部２０は、再生残り時間が所定時間よりも長いと判断した場合（Ｓ２０５：ＹＥＳ）、電源回路２１へ入力する制御信号によりＴＶ信号受信部３４への電力の供給をオフにする（ステップＳ２０６）。
【００６３】
次に制御部２０はリモコン２２のチャンネル変更ボタン、数字ボタン等のテレビジョン放送を視聴するためのテレビジョン選局ボタンが押下されたことを検知したか否かを判断する（ステップＳ２０７）。制御部２０は、リモコン２２のテレビジョン選局ボタンが押下されたことを検知していないと判断した場合（Ｓ２０７：ＮＯ）、内蔵する記憶部に記憶してある視聴予約情報の予約時刻の所定時間前に到達したか否かを判断する（ステップＳ２０８）。
【００６４】
制御部２０は、視聴予約情報の予約時刻の所定時間前に到達していないと判断した場合（Ｓ２０８：ＮＯ）、リモコン２２の電源ボタンの押下を検知したか否かを判断する（ステップＳ２０９）。
【００６５】
制御部２０は、電源ボタンの押下を検知したと判断した場合（Ｓ２０９：ＹＥＳ）、電源回路２１からコントローラ部３３、ＴＶ信号受信部３４及び出力部３５への電力の供給をオフにし（ステップＳ２１０）、処理を終了する。
【００６６】
制御部２０は、電源ボタンの押下を検知していないと判断した場合（Ｓ２０９：ＮＯ）、処理をステップＳ２０３へ戻し、再生装置１からの映像信号及び音声信号に基づいて映像を表示及び音声を出力する選択がされていないと判断するまで、コントローラ部３３、ＴＶ信号受信部３４及び出力部３５への電力の供給をオンに維持したまま処理を継続する。    
【００６７】
ステップＳ２０３において、制御部２０は、再生装置１からの映像信号及び音声信号に基づいて映像を表示及び音声を出力する選択がされていないと判断した場合は（Ｓ２０３：ＮＯ）、前述したステップＳ２０９の判断処理を行なう。
【００６８】
また、ステップＳ２０５において、制御部２０は、再生残り時間が所定時間よりも短いと判断した場合（Ｓ２０５：ＮＯ）、電源回路２１からＴＶ信号受信部３４への電力の供給をオンにする（ステップＳ２１１）。その後、制御部２０は前述したステップＳ２０９の判断処理を行なう。
【００６９】
ステップＳ２０７において、制御部２０は、リモコン２２のテレビジョン選局ボタンが押下されたことを検知したと判断した場合（Ｓ２０７：ＹＥＳ）、前述したステップＳ２１１の処理を行ない、その後、前述したステップＳ２０９の判断処理を行なう。
【００７０】
ステップＳ２０８において、制御部２０は、視聴予約情報の予約時刻の所定時間前に到達したと判断した場合（Ｓ２０８：ＹＥＳ）、前述したステップＳ２１１の処理を行ない、その後、前述したステップＳ２０９の判断処理を行なう。
【００７１】
図３及び図４に示した制御部２０の処理のうちステップＳ２０３〜ステップＳ２０６の処理により、テレビジョン受像機２は再生装置１からの映像信号及び音声信号に基づいて映像を表示及び音声を出力する選択がされている場合であって、再生装置１が再生出力する再生残り時間が所定時間よりも長い間は、使用していないＴＶ信号受信部３４への電力の供給をオフにすることにより、電力を無駄に消費せず自動的に省電力を実現することができる。なお、再生装置１が再生出力を開始した場合に既に再生残り時間が所定時間よりも短い場合は、ステップＳ２０６の処理は行なわれないので、ＴＶ信号受信部３４への電力の供給は維持される。したがって、再生装置１が再生を開始した映像の時間が短い場合、再生終了後にデジタルＴＶ受信部２４又はアナログＴＶ受信部２５を介して受信した映像信号及び音声信号に基づいて映像を表示及び音声を出力する選択がされたときにはＴＶ信号受信部３４へは電力の供給が維持されているので、テレビジョン放送の映像の表示が開始されるまでの時間の短縮を図ることができる。
【００７２】
さらに、図３及び図４に示した制御部２０の処理のうちステップＳ２０５〜ステップＳ２１１の処理により、テレビジョン受像機２の制御部２０は再生装置１において再生が終了する時間の所定時間前に、デジタルＴＶ受信部２４、復号部２６、及びアナログＴＶ受信部２５を含むＴＶ信号受信部３４への電力の供給をオンにする。即ち、再生装置１で再生が終了した時点では、既にデジタルＴＶ受信部２４、復号部２６、及びアナログＴＶ受信部２５へ電力が供給されている。したがって、再生終了後にデジタルＴＶ受信部２４又はアナログＴＶ受信部２５を介して受信した映像信号及び音声信号に基づいて映像を表示及び音声を出力する選択がされたときにはＴＶ信号受信部３４へは電力が供給されているので、所定時間を適宜に設定することによってテレビジョン放送の映像の表示が開始されるまでの時間が短縮される。ユーザは、再生装置１での再生終了後、直ちにテレビジョン放送の映像を視聴することも可能である。
【００７３】
なお、図３及び図４に示すステップＳ２０５で再生残り時間について判断するための所定時間はテレビジョン受像機２の制御部２０が内蔵する図示しない記憶部に記憶されているが、リモコン２２を介してユーザが任意に設定することが可能な構成でもよい。この場合、ユーザによって設定された所定時間が、ＴＶ信号受信部３４に電力が供給されてから表示パネル３１が映像を表示するまでに要する時間よりも短いときは、テレビジョン放送の映像表示までに時間を要する旨を表示パネル３１が表示する構成が望ましい。
【００７４】
また、ステップＳ２０５において再生残り時間について所定時間と比較判断する場合、本実施の形態では一の所定時間の値に対して所定時間よりも長いか否かを判断するとした。しかし本発明ではこれに限らず、所定時間を二つ設定しておき、一の所定時間よりも長い場合にＴＶ信号受信部３４への電力の供給をオフにして他の所定時間よりも短い場合は電力の供給をオンにする構成としてもよい。
【００７５】
なお、図３及び図４に示すステップＳ２０６のＴＶ信号受信部３４への電力の供給をオフにする処理は、本実施の形態では再生装置１から受信した残時間情報に示された再生残り時間が所定時間よりも長いと判断された場合に行なわれる。しかし、本発明はこれに限らず、ステップＳ２０３において、制御部２０が再生装置１からの映像信号及び音声信号に基づいて映像を表示及び音声を出力する選択がされていると判断した場合に（Ｓ２０３：ＹＥＳ）、残時間情報に示された再生残り時間に拘わらずＴＶ信号受信部３４への電力の供給をオフにする構成としてもよい。具体的には、制御部２０は、再生装置１からの映像信号及び音声信号に基づいて映像を表示及び音声を出力する選択がされていると判断した場合に信号入出力部２７を介して再生装置１から映像信号が入力されているか否かを判断し、映像信号が入力されているときはＴＶ信号受信部３４への電力の供給をオフにする処理手順としてもよい。さらに、テレビジョン受像機２はＴＶ信号受信部３４への電力の供給をオフにするか否かについてユーザによる選択を受け付ける手段を備え、制御部２０がＴＶ信号受信部３４への電力の供給をオフにする選択を受け付けた場合に電力の供給をオフにする処理手順としてもよい。
【００７６】
また、図３及び図４に示した処理手順では、制御部２０はステップＳ２０１で電源ボタンの押下を検知したと判断した場合は、コントローラ部３３、ＴＶ信号受信部３４、及び出力部３５へ電源回路２１を介して電力の供給をオンにする（Ｓ２０２）処理手順とした。しかし本発明はこれに限らず、制御部２０はステップＳ２０１で電源ボタンの押下を検知したと判断した場合、コントローラ部３３、ＴＶ信号受信部３４、及び出力部３５への電力の供給を無条件でオンにしないようにしてもよい。制御部２０は、電源ボタンの押下を検知したと判断した後、再生装置１からの映像信号及び音声信号に基づいて映像を表示及び音声を出力する以外の選択がされている場合、又は再生装置１からの映像信号及び音声信号に基づいて映像を表示及び音声を出力する選択がされていても再生装置１から送信されている残時間情報が示す再生残り時間が所定時間よりも長いと判断した場合は、コントローラ部３３及び出力部３５へ電源回路２１を介して電力の供給をオンにし、ＴＶ信号受信部３４へは電力の供給を引き続きオフにする処理手順でもよい。制御部２０は、電源ボタンの押下を検知した場合に、再生装置１からの映像信号及び音声信号に基づいて映像を表示及び音声を出力する選択がされていて、且つ再生残り時間が所定時間よりも短いと判断したときに初めてコントローラ部３３及び出力部３５に加えてＴＶ信号受信部３４への電力の供給をオンにする処理手順でもよい。
【００７７】
本実施の形態におけるテレビジョン受像機２では、各構成部をブロック化し、電源回路２１からの電力供給のオン／オフをブロック毎に制御する構成とした。しかし、各構成部のブロック化の組み合わせは、本実施の形態に示した例に限るものではない。例えば、制御部２０及びリモコン受信部２３に加えて信号入出力部２７をもコントローラ部３３としてブロック化する構成でもよい。
【００７８】
なお、本実施の形態ではテレビジョン放送を受信する受信部は地上デジタルテレビジョン放送用のデジタルＴＶ受信部２４及び地上アナログテレビジョン放送用のアナログＴＶ受信部２５で構成した例を示した。しかし本発明の映像出力システムのテレビジョン受像機２は他にＢＳ放送用、ＣＳ放送用等の各種放送用の受信部を更に設け、再生装置１から受信した映像信号及び音声信号に基づく映像を表示し、音声を出力している間は、各受信部を含むＴＶ信号受信部３４への電力の供給をオフにし、再生装置１での再生残り時間が所定時間より短いと判断した場合に各受信部を含むＴＶ信号受信部３４への電力の供給をオンにする構成としてもよい。
【００７９】
また、本実施の形態では再生装置１とテレビジョン受像機２との間で再生残り時間を示す残時間情報を送受信する手段として、信号入出力部１４，２７をＨＤＭＩケーブルであるケーブル３で接続し、ＣＥＣラインを使用する構成とした。しかし本発明は再生装置１とテレビジョン受像機２との間の残時間情報の送受信をＨＤＭＩケーブルの利用によると限定するものではない。例えば、再生装置１とテレビジョン受像機２との間を従来のＤ端子等で接続し、残時間情報を送受信するための通信部を別途備え、映像信号及び音声信号とは別に残時間情報のみを示す信号を送受信する構成でもよい。
【００８０】
また、本実施の形態では再生装置として再生専用装置であるＤＶＤプレーヤーを例にして説明した。しかし本発明はこれに限らず、ビデオカセット、特にデジタル方式のビデオカセットに記録された映像信号及び音声信号を読み出して出力することが可能なビデオカセットプレーヤを再生装置とする構成でもよい。さらに、ＨＤＤ（Ｈａｒｄ  Ｄｉｓｋ  Ｄｒｉｖｅ）を備え、映像をＨＤＤに記憶しておき、記憶された映像を読み出して映像信号を出力することが可能な再生記録装置を再生装置とする構成でもよい。その他、再生装置としては、ＨＤＤを備えてＨＤＤから映像を読み出して映像信号を出力することが可能であり、且つＤＶＤから映像を再生出力することが可能なＨＤＤ／ＤＶＤプレーヤー、Ｂｌｕ−Ｒａｙ  Ｄｉｓｋ（登録商標）から映像を再生出力することが可能なプレーヤー、撮像した映像を出力することが可能なビデオカメラ等とすることが可能である。また、テレビジョン受像機２は映像信号を入力するための信号入出力部を複数備え、上述に挙げた複数の種類の再生装置と夫々接続する構成でもよい。
【図面の簡単な説明】
【００８１】
【図１】本実施の形態における映像出力システムの構成を示すブロック図である。
【図２】本発明の映像出力システムの再生装置の制御部が再生残り時間を算出して残時間情報を送信する処理手順を示すフローチャートである。
【図３】本発明に係る映像出力システムのテレビジョン受像機の制御部がコントローラ部、ＴＶ信号受信部、及び出力部への電力の供給のオン／オフを制御する処理手順を示すフローチャートである。
【図４】本発明に係る映像出力システムのテレビジョン受像機の制御部がコントローラ部、ＴＶ信号受信部、及び出力部への電力の供給のオン／オフを制御する処理手順を示すフローチャートである。
【符号の説明】
【００８２】
１  再生装置
２  テレビジョン受像機
３  ケーブル
１０，２０  制御部
１１，２１  電源回路
１４，２７  信号入出力部
２２  リモコン
２４  デジタルＴＶ受信部
２５  アナログＴＶ受信部
２８  セレクタ部
２９  映像出力部
３０  音声出力部
３４  ＴＶ信号受信部
４０  商用電源
【図１】
2008078934.tif 000003
【図２】
2008078934.tif 000004
【図３】
2008078934.tif 000005
【図４】
2008078934.tif 000006